(57)【要約】【課題】床面の掃除と浮遊塵埃の吸引とを同時に行うことができ、使い勝手が良く、低コストでコンパクトな電気掃除機を得る。【解決手段】床面の塵埃を吸引するための吸込み具９５が接続される第一吸気口８と、第一吸気口８よりも空気流れ下流側に設けられ、第一吸気口８と連通した集塵部２１と、集塵部２１と連通し、吸引風を発生する電動送風機３１と、を有する掃除機本体１００を備え、掃除機本体１００には、集塵部２１又は集塵部２１の空気流れ上流側に連通する第二吸気口１３が形成され、第一吸気口８から吸引された空気、及び第二吸気口１３から吸引された空気は前記集塵部を通過し、第二吸気口１３には、第二吸気口１３を開閉する開閉手段４０と、掃除機本体１００の内部から外部に向かって開閉手段４０を付勢し、第二吸気口１３を開くバネ４６とが設けられている。【選択図】図３
2010022769.tif 000002
【特許請求の範囲】
【請求項１】
床面の塵埃を吸引するための吸込み具が接続される第１の吸気口と、
該第１の吸気口よりも空気流れ下流側に設けられ、前記第１の吸気口と連通した集塵部と、
該集塵部と連通し、吸引風を発生する電動送風機と、
を有する本体を備え、
該本体には、前記集塵部又は前記集塵部の空気流れ上流側に連通する第２の吸気口が形成され、
前記第１の吸気口から吸引された空気、及び前記第２の吸気口から吸引された空気は前記集塵部を通過し、
前記第２の吸気口には、
該第２の吸気口を開閉する開閉手段と、
前記本体の内部から外部に向かって前記開閉手段を付勢し、前記第２の吸気口を開く付勢手段とが設けられたことを特徴とする電気掃除機。
【請求項２】
前記第２の吸気口は、
前記本体の上部で、前記第１の吸気口が形成された側に形成されたことを特徴とする請求項１に記載の電気掃除機。
【請求項３】
前記第２の吸気口は、
前記第１の吸気口が形成された側に向かって開口していることを特徴とする請求項１又は請求項２に記載の電気掃除機。
【請求項４】
前記開閉手段は、
前記第２の吸気口を開いた状態、及び前記第２の吸気口を閉じた状態で保持可能な構造であることを特徴とする請求項１〜請求項３のいずれか一項に記載の電気掃除機。
【請求項５】
前記集塵部の集塵フィルタに付着した塵埃を除去する除塵手段を備えたことを特徴とする請求項１〜請求項４のいずれか一項に記載の電気掃除機。
【発明の詳細な説明】
【技術分野】
【０００１】
本発明は、電気掃除機に関し、特に空気中に浮遊する塵埃を吸引する機能も有する電気掃除機に関するものである。
【背景技術】
【０００２】
絨毯等の床面に付着している花粉、アレルゲン、埃等の塵埃を除去するため、電気掃除機が使用されている。しかしながら、掃除動作中、使用者の歩行動作等によって、床面に付着している塵埃が空気中に飛散する場合がある。空中に飛散した塵埃は床面近傍を長時間浮遊し続けるため、口や鼻の位置が低い乳幼児等はこの空中に飛散した塵埃を吸い込みやすい。乳幼児等に吸い込まれた塵埃は、花粉症やアトピ性皮膚炎といったアレルギーを発症させる原因の１つとなる場合がある。このため、空気中に浮遊する塵埃を捕集する必要があり、従来より、空気中に浮遊する塵埃（以下、浮遊塵埃という）を吸引する機能を有した電気掃除機が提案されている。
【０００３】
このような、浮遊塵埃を吸引する機能を有した従来の電気掃除機としては、例えば「掃除機として使用する場合は、電源コード９ａの図示しないプラグをコンセントに接続するとともに、操作ハンドル２９を回動操作して切換弁９０を時計方向に回動させて貫通孔２５ａを開くとともに、貫通孔２６ａを閉じるように弁９１および９２を動作させ、ついで、掃除用電動送風機６０の駆動スイッチ（図示しない）を閉成する。つぎに、空気清浄器として使用する場合について説明する。この空気清浄器として使用には、睡眠中等に静かな状態で空気清浄を行う静音清浄と短時間の間に室内の空気を清浄する急速清浄との二つの態様がある。まず、静音清浄の態様で使用する場合は、電源コード９ａのプラグをコンセントに接続するとともに、操作ハンドル２９を回動操作して切換弁９０を反時計方向に回動させて貫通孔２５ａを閉じるとともに、貫通孔２６ａを開くように弁９１および９２を動作させ、ついで、図示しない空気清浄用電動送風機７０の駆動スイッチを閉成する。急速清浄をする場合は、前記操作ハンドル２９を回動操作して弁手段９０を反時計方向に回動させ、弁９１により貫通孔２５ａを閉じるとともに弁９２により貫通孔２６ａを開き、ついで、掃除用電動送風機６０の駆動スイッチを閉成する。」（例えば特許文献１参照）というものが提案されている。
【０００４】
また、例えば「ごみ集塵部４および電動送風機２を内蔵した掃除機本体１と、掃除機本体１と接続された吸い込みノズル９とを備え、掃除機本体１には、浮遊するごみを検知するごみ検知手段１５と、ごみ検知手段１５の出力信号により開閉するシャッター部１４を有した第２の吸気通路１２と、集塵フィルタ１３とを設けたものである。これによって、掃除中に浮遊するごみがあるときこれをごみ検知手段１５で検知し、シャッター部１４を開成して第２の吸気通路１２より浮遊ごみを自動的に吸引し、集塵フィルタ１４で除去することができる。」（例えば特許文献２参照）というものが提案されている。
【０００５】
【特許文献１】特開平１０−１５１０９７号公報（段落番号００５２，００５７，００５８，００６２、図１）
【特許文献２】特開２００７−６８６７６号公報（要約、図１）
【発明の開示】
【発明が解決しようとする課題】
【０００６】
しかしながら、例えば特許文献１に記載の電気掃除機は、使用者の判断によって、床面を掃除する機能と浮遊塵埃を吸引する機能とを切り替える必要があった。つまり、床面の掃除と浮遊塵埃の吸引とを同時に行うことができないという問題点があった。
【０００７】
また、例えば特許文献２に記載の電気掃除機は、床面に付着した塵埃を捕集する集塵袋と、浮遊塵埃を捕集する集塵フィルタが別部品となっている。このため、集塵袋と集塵フィルタを別々にメンテナンスする必要があるため、電気掃除機の使い勝手が悪くなってしまうという問題点があった。また、集塵袋と集塵フィルタは別々のものが必要となるので、コストがかかってしまうという問題点があった。また、集塵袋と集塵フィルタのそれぞれの設置スペースが必要となるため、電気掃除機が大きくなってしまうという問題点があった。また、浮遊塵埃を検知するためのゴミ検知手段を設ける必要があるので、さらにコストがかかってしまうという問題点があった。
【０００８】
本発明は上述のような課題を解消するためになされたものであり、床面の掃除と浮遊塵埃の吸引とを同時に行うことができ、使い勝手が良く、低コストでコンパクトな電気掃除機を得ることを目的とする。
【課題を解決するための手段】
【０００９】
本発明に係る電気掃除機は、床面の塵埃を吸引するための吸込み具が接続される第１の吸気口と、該第１の吸気口よりも空気流れ下流側に設けられ、前記第１の吸気口と連通した集塵部と、該集塵部と連通し、吸引風を発生する電動送風機と、を有する本体を備え、該本体には、前記集塵部又は前記集塵部の空気流れ上流側に連通する第２の吸気口が形成され、前記第１の吸気口から吸引された空気、及び前記第２の吸気口から吸引された空気は前記集塵部を通過し、前記第２の吸気口には、該第２の吸気口を開閉する開閉手段と、前記本体の内部から外部に向かって前記開閉手段を付勢し、前記第２の吸気口を開く付勢手段とが設けられたものである。
【発明の効果】
【００１０】
本発明においては、床面の塵埃を吸引するための吸込み具が接続される第１の吸気口に加えて第２の吸気口を設けている。このため、床面の掃除と同時に、第２の吸気口から浮遊塵埃を吸引することができる。つまり、床面の掃除と浮遊塵埃の吸引とを同時に行うことができる。なお、本発明においては、実際に床面が掃除されている状態（電動送風機が駆動され、吸込み具を床面に接触させている状態）に限らず、実際の床面掃除の間の状態（電動送風機が駆動され、吸込み具を床面に接触させていない状態）も、床面を掃除している状態に含まれる。
【００１１】
また、第１の吸気口から吸引された空気及び第２の吸気口から吸引された空気は同一の集塵部を通過する。このため、床面に付着した塵埃を捕集する集塵袋と、浮遊塵埃を捕集する集塵フィルタを別々にメンテナンスする必要がないので、電気掃除機の使い勝手が良くなる。また、電気掃除機には１個分の集塵部の設置スペースしか必要としないので、電気掃除機を低コストでコンパクトに製作することができる。
【００１２】
さらに、本発明においては、第２の吸気口には、第２の吸気口を開閉する開閉手段と、本体の内部から外部に向かって開閉手段を付勢し、第２の吸気口を開く付勢手段とが設けられている。つまり、開閉手段は、集塵部の内部圧力によって開閉手段に付与される荷重（開閉手段を閉じる方向の荷重）と、付勢手段の付勢力（開閉手段を開く方向の荷重）との釣り合いに応じて開く構成となっている。このため、実際に吸込み具で床面を掃除しているときは、第２の吸気口が閉じて床面掃除能力（吸引力）が最大となり、効率的に床面に付着した塵埃を吸引できる。また、吸込み具を床面から離すと、第２の吸気口が開くことで自動的に浮遊塵の吸引を開始する。したがって、使用者が切り替え動作をすることなく、効率的に床面掃除と浮遊塵吸引を切り替えることができる。つまり、使い勝手が良く、省エネルギー性にも優れた電気掃除機を提供できる。また、床面掃除と浮遊塵吸引を切り替えるためのごみ検出手段（埃センサーや赤外線センサー等）を設ける必要がないので、電気掃除機を安価に製作できる。
【発明を実施するための最良の形態】
【００１３】
実施の形態．
図１は、本発明の実施の形態に係る電気掃除機の全体構成を示す斜視図である。なお、以下の図面では、第一吸気口８が形成されている側を掃除機本体の前部として説明する。
掃除機本体１００の前部には床面の塵埃等を吸引するための第一吸気口８が設けられている。ここで、第一吸気口８が本発明の第１の吸気口に相当する。この第一吸気口８には蛇腹状のホース９９の一端が着脱可能に接続されており、ホース９９の他端には操作部９８を有する手元ハンドル９７が設けられている。使用者は、操作部９８によって掃除機本体１００（より詳しくは電動送風機）への電源入力等を操作する。手元ハンドル９７には伸縮自在なパイプ９６の一端が着脱可能に接続されており、パイプ９６の他端には吸込み具９５が着脱可能に接続されている。使用者は手元ハンドル９７を持ち、吸込み具９５を操作して、掃除機本体１００に床面の塵埃等を吸引させる。
【００１４】
図２は、本発明の実施の形態に係る電気掃除機の掃除機本体を示す斜視図である。図３は、図２のＡ−Ａ断面模式図である。また、図４は、図３のＰ部詳細図であり、（ａ）が第二吸気口が開いた状態のＰ部詳細図、（ｂ）が第二吸気口が閉じた状態のＰ部詳細図である。以下、これら図２〜図４を用いて本実施の形態に係る電気掃除機の掃除機本体について説明する。なお、図２〜図４に示す矢印は空気流れを表し、実線の矢印が第一吸気口８から吸引される空気の流れを、破線の矢印が第二吸気口１３から吸引される空気の流れを表す。
【００１５】
図２及び図３に示すように、掃除機本体１００の外郭は、円筒状の上ケース２及び有底円筒状の下ケース３からなる本体外郭部１と、上面がゆるやかな円弧状に形成された上蓋４とからなり、上蓋４の後部側はヒンジ５を介して本体外郭部１に連結され、本体外郭部１の上面開口部を開閉する。上蓋４の前側には上蓋４をロックするための、例えばラッチ機構からなるボタン６が設けられている。
【００１６】
本体外郭部１の前部にはハンドル部材７が本体外郭部１と一体的に設けられている。このハンドル部材７には、ホース９９が接続される第一吸気口８が形成されており、両側には斜め上方に延設された門型のハンドル９が設けられている。本体外郭部１の後部には延設部１０が本体外郭部１と一体的に設けられており、その後面には排気口１１が設けられている。また、本体外郭部１の底面部には複数の車輪１２が回動自在に設けられている。
【００１７】
本体外郭部１の内部は、隔壁によって２つの空間に分割されている。これら２つの空間は連通しており、前部側の空間である集塵部収容空間２０には集塵部２１が着脱可能に収容され、後部側の空間である電動送風機３１には電動送風機３１が設けられている。集塵部２１は、集塵室２２、集塵室２２の後方に設けられた集塵フィルタケース２３、及び集塵フィルタケース２３の内部に設けられた集塵フィルタ２４等から構成されている。集塵室２２は、前面部が第一吸気口８と連通しており、後面部が集塵フィルタケース２３と連通している。この集塵室２２と集塵フィルタケース２３との連通部には一次フィルタ２５が設けられている。集塵フィルタケース２３は、後面側に開口部を有しており、電動送風機室３０と連通している。この開口部には、集塵フィルタ２４が設けられている。集塵フィルタ２４は、一次フィルタ２５よりも目の細かい構造となっており、一次フィルタ２５を通過した粉塵を捕集する。
【００１８】
また、図２及び図３に示すように、本実施の形態に係る掃除機本体１００には、上蓋４の上部前側に、集塵部２１と連通する第二吸気口１３が形成されている。つまり、第二吸気口１３は、掃除機本体１００の上部の前側（第一吸気口８が形成されている側）に形成されており、前側（第一吸気口８が形成されている側）に向かって開口している。
【００１９】
図４に示すように、集塵フィルタケース２３の上面部には、第二吸気口１３と対応する位置に開口部２７が形成されている。つまり、第二吸気口１３は、開口部２７を介して集塵フィルタケース２３に連通している。ここで、第二吸気口１３及び開口部２７が、本発明の第２の吸気口に相当する。また、集塵フィルタケース２３の上面部には、開口部２７を囲むように例えば環状の突条２８が形成されており、この突条２８を囲むように例えば環状のパッキン２９が設けられている。上蓋４を閉じた状態では、突条２８が第二吸気口１３の内部に挿入され、上蓋４の下面部とパッキン２９が接触する。これにより、上蓋４と集塵フィルタケース２３との間の気密性が保たれている。
【００２０】
なお、本実施の形態では、捕集した塵埃の処理を容易とするため、集塵部収容空間２０に集塵部２１を着脱可能に収容している。しかしながら、例えば、集塵部収容空間２０と電動送風機室３０との連通部に集塵フィルタ２４を設け、集塵部収容空間２０で直接塵埃を捕集してもよい。この場合、上蓋４に形成された第二吸気口１３が本発明の第２の吸気口に相当する。
【００２１】
集塵フィルタケース２３内部の上方には、第二吸気口１３及び開口部２７を開閉するための開閉手段４０が設けられている。この開閉手段４０は、蓋部４１、筒部４２及びストッパ部４３等から構成されている。蓋部４１は、例えば円板形状をしており、その外径は突条２８の内径よりもわずかに小さくなっている。筒部４２は、例えば円筒形状をしており、上端が蓋部４１の下面部に接続されている。筒部４２の外径は蓋部４１の外径よりもわずかに小さくなっており、蓋部４１の下面部には、筒部４２の外周側にパッキン４４が設けられている。筒部４２の上部には、掃除機本体１００の前部に向かって開口部４５が形成されている。また、筒部４２の下端には、ストッパ部４３が設けられている。
【００２２】
開閉手段４０の筒部４２の内部には、圧縮バネであるバネ４６が設けられている。ここで、バネ４６が本発明の付勢手段に相当する。このバネ４６の下部は、例えば集塵フィルタケース２３の側面部から突設された支持部４７によって支持されており、バネ４６は開閉手段４０（蓋部４１）を上方向に付勢している。なお、付勢手段はバネ４６に限らず、板バネ、ゴム、又はクッション等の弾性部材でもよい。
【００２３】
図４（ａ）に示すように、バネ４６の付勢力により開閉手段４０が上昇している状態では、開口部４５が蓋部４の上部まで上昇する構成となっている。これにより、第二吸気口１３から流入した空気が開口部４５及び開口部２７を介して集塵フィルタケース２３に流入する、風路５０が形成される。このとき、筒部４２の下端に設けられたストッパ部４３が集塵フィルタケース２３の上部内側に係止され、開閉手段の上昇が制限されている。
【００２４】
図４（ｂ）に示すように、所定の力が下方向にかかると開閉手段４０は下降し、蓋部４１が集塵フィルタケース２３の上面部に係止される。このとき、蓋部４１の下面部に設けられたパッキン４４が集塵フィルタケース２３の上面部に接触し、第二吸気口１３及び開口部２７を閉じる構成となっている。つまり、開閉手段４０は、集塵部２１（集塵フィルタケース２３）の内部が所定の圧力以下になると、大気圧に押されて第二吸気口１３及び開口部２７を閉じる構成となっている。より詳しくは、開閉手段４０は、集塵部２１（集塵フィルタケース２３）の内部圧力によって開閉手段４０に付与される荷重（図４における下向き荷重）と、バネ４６の付勢力（図４における上向き荷重）との釣り合いに応じて閉じる構成となっている。したがって、吸込み具９５の床面との接触状態（集塵部２１の内部圧力の状態）によって、第二吸気口１３及び開口部２７の開度（開閉手段４０の下降量）は調整される。
【００２５】
上述のように、本実施の形態においては、実際に床面を掃除していない状態（電動送風機３１が駆動され、吸込み具９５を床面に接触させていない状態）では第二吸気口１３及び開口部２７が開き、実際に床面を掃除している状態（電動送風機３１が駆動され、吸込み具９５を床面に接触させている状態）では第二吸気口１３及び開口部２７が閉じる構成となっている。このように構成されている理由について、以下に説明する。
【００２６】
図５は、本発明の実施の形態に係る電気掃除機の風量特性を示す特性図である。この図は、床面吸引風量（第一吸気口８から吸引される空気量）と外気吸引風量（第二吸気口１３から吸引される空気量）との関係を示している。
図５より、外気吸引風量が増加すれば、床面吸引風量が低下することがわかる。つまり、浮遊塵吸引能力（外気吸引風量）を高めれば高める程、床面清掃能力（床面吸引風量）が低下していくことがわかる。これは、第一吸気口８からの空気の吸引及び第二吸気口１３からの空気の吸引が、共に一つの電動送風機３１で実施されているためである。したがって、浮遊塵吸引及び床面掃除を同時に行うと、本実施の形態に係る電気掃除機の床面清掃能力は通常の（浮遊塵吸引機能のない）電気掃除機に比べて低下する。
【００２７】
このため、本実施の形態では、実際に床面を掃除していない状態（電動送風機３１が駆動され、吸込み具９５を床面に接触させていない状態）では第二吸気口１３及び開口部２７が開き、実際に床面を掃除している状態（電動送風機３１が駆動され、吸込み具９５を床面に接触させている状態）では第二吸気口１３及び開口部２７が閉じる構成としている。
【００２８】
床面を掃除するとき（電動送風機３１が駆動され、吸込み具９５を床面に接触させている状態）は強力な吸引力で掃除を行いたいため、床面吸引風量（第一吸気口８から吸引される空気量）を最大限にする必要がある。本実施の形態では、吸込み具９５を床面に接触させている状態において、開閉手段４０が第二吸気口１３及び開口部２７を閉じるように、バネ４６の付勢力が調整されている。このため、外気吸引風量（第二吸気口１３から吸引される空気量）がゼロとなる。したがって、実際に床面を掃除するとき（電動送風機３１が駆動され、吸込み具９５を床面に接触させている状態）、床面吸引風量（第一吸気口８から吸引される空気量）を最大限にすることができる。
【００２９】
床面掃除の間（電動送風機３１が駆動され、吸込み具９５を床面に接触させていない状態）は、掃除機本体１や使用者の移動動作等によって、浮遊塵埃が発生しやすい。このとき、集塵部２０内の圧力は大気圧に近くなっている（高くなっている）ため、第二吸気口１３及び開口部２７が開いた状態となっている。つまり、外気吸引風量（第二吸気口１３から吸引される空気量）が最大の状態となっている。したがって、浮遊塵埃を効率良く吸引することができる。
【００３０】
（動作説明）
次に、本発明の実施の形態にかかる電気掃除機の動作について説明する。
掃除機本体１００のコードリールに巻かれた電源コード（図示せず）を引き出して商用電源に接続し、操作部９８に設けられた電源スイッチ（図示せず）を入れる。これにより、電動送風機３１が駆動され、吸引風が発生する。そして、吸込み具９５から吸引された空気が、パイプ９６、ホース９９及び第一吸気口８を介して集塵部２１に流入する。この空気流によって、床面に付着している塵埃を集塵部２１に吸引する。
【００３１】
図３に示すように、この吸引された塵埃は、集塵部２１の集塵室２２に流入する。そして、一次フィルタ２５を通過出来ない大きな塵埃は、集塵室２２で捕集される。一次フィルタ２５を通過した微細な塵埃は、集塵部２１の集塵フィルタケース２３に流入する。そして、この微細な塵埃は、集塵フィルタ２４によって集塵フィルタケース２３内に捕集される。
集塵フィルタ２４を通過した清浄な空気は、電動送風機室３０を通り、排気口１１から外部に排出される。
【００３２】
実際に床面を掃除しているとき（電動送風機３１が駆動され、吸込み具９５を床面に接触させているとき）には、第二吸気口１３及び開口部２７は閉じられた状態となっている。このため、上述のように、外気吸引風量（第二吸気口１３から吸引される空気量）がゼロとなり、床面吸引風量（第一吸気口８から吸引される空気量）を最大限となる。したがって、床面に付着した塵埃を効率良く吸引することができる。
【００３３】
一方、実際に床面を掃除していないとき（電動送風機３１が駆動され、吸込み具９５を床面に接触させていないとき）には、第二吸気口１３及び開口部２７は開かれた状態となっている。このため、第二吸気口１３及び開口部２７から空気が吸引され、この吸引された空気は集塵フィルタケース２３に流入する。この空気流によって、床面の掃除によって空気中に飛散した塵埃（浮遊塵埃）を集塵フィルタケース２３に吸引する。集塵フィルタケース２３に流入した塵埃は、集塵フィルタ２４によって集塵フィルタケース２３内に捕集される。
集塵フィルタ２４を通過した清浄な空気は、電動送風機室３０を通り、排気口１１から外部に排出される。
【００３４】
なお、電気掃除機の使用状態等によっては、実際に床面を掃除しているときに第二吸気口１３及び開口部２７を開きたい場合も考えられる。また、騒音等の観点から、床面を掃除していないときにも第二吸気口１３及び開口部２７を閉じたい場合も考えられる。このような場合を考慮し、例えば開閉手段４０にロック機構を備え、使用者１０１が任意に第二吸気口１３及び開口部２７の開閉及び開度を調整できる構成を付加してもよい。
【００３５】
次に、本実施の形態に係る電気掃除機に形成された第二吸気口１３及び開口部２７の最適な位置について説明する。
図６は、本発明の実施の形態に係る電気掃除機の使用状態を示す概略図である。図６に示すように、使用者１０１は手元ハンドル９７を持ち、吸込み具９５を操作して、床面の掃除をすることになる。また、手元ハンドル９７と掃除機本体１００の第一吸気口８とは、ホース９９で接続されている。このため、床掃除を行う際、掃除機本体１００は、第一吸気口８が形成されている側が手元ハンドル９７（使用者１０１）の方向を向くこととなる。
【００３６】
したがって、第二吸気口１３及び開口部２７は、第一吸気口８が形成されている側に形成されているのが好ましい。また、第二吸気口１３及び開口部２７は、第一吸口８が形成されている側に向かって開口しているのが好ましい。これにより、掃除機本体１００の移動や吸込み具９５の床面での摺動（掃除動作）や使用者の歩行動作等によって舞い上がる塵埃（浮遊塵埃）を、効果的に吸引することができる。したがって、掃除をする空間を快適な環境に保つことができる。
【００３７】
なお、第二吸気口１３及び開口部２７は上記の位置に限定されるものでなく、その他の位置に設けられても本発明を実施可能である。例えば、集塵フィルタケース２３よりも空気流れ上流側と連通するように、第二吸気口１３及び開口部２７を設けてもよい。このとき、集塵部２１（集塵室２２）よりも空気流れ上流側（例えば第一吸気口）と連通するように第二吸気口１３を設けた場合、開口部２７は不要となり、第二吸気口１３が本発明の第２の吸気口となる。また、例えば第二吸気口１３にルーバー等を設け、吸気口の吸引角度を調整可能としてもよい。
【００３８】
このように構成された電気掃除機においては、床面に付着した塵埃を吸引するための吸込み具９５が接続される第一吸気口８に加えて、浮遊塵埃を吸引するための第二吸気口１３及び開口部２７が設けられている。このため、床面の掃除と同時に、第二吸気口１３及び開口部２７から浮遊塵埃を吸引することもできる。また、床面に付着していた塵埃と浮遊塵埃の両方を、同じ集塵フィルタケース２３に捕集することができる。このため、浮遊塵埃を捕集するための集塵フィルタケースを新たに設ける必要がない。したがって、浮遊塵埃を捕集する集塵フィルタケースを別々にメンテナンスする必要がないので、電気掃除機の使い勝手が良くなる。また、電気掃除機には１個分の集塵フィルタケースの設置スペースしか必要としないので、電気掃除機を低コストでコンパクトに製作することができる。
【００３９】
また、第二吸気口１３及び開口部２７を開閉するための開閉手段４０と、この開閉手段４０を上方向に付勢して第二吸気口１３及び開口部２７を開くバネ４６とを備えたので、開閉手段４０は、集塵部２１（集塵フィルタケース２３）の内部圧力によって開閉手段４０に付与される荷重（図４における下向き荷重）と、バネ４６の付勢力（図４における上向き荷重）との釣り合いに応じて閉じる構成となっている。このため、実際に吸込み具９５で床面を掃除しているときは、第二吸気口１３及び開口部２７が閉じて床面掃除能力（吸引力）が最大となり、効率的に床面に付着した塵埃を吸引できる。また、吸込み具９５を床面から離すと、第二吸気口１３及び開口部２７が開くことで自動的に浮遊塵の吸引を開始する。したがって、使用者１０１が切り替え動作をすることなく、効率的に床面掃除と浮遊塵吸引を切り替えることができる。つまり、使い勝手が良く、省エネルギー性にも優れた電気掃除機を提供できる。また、床面掃除と浮遊塵吸引を切り替えるためのごみ検出手段（埃センサーや赤外線センサー等）を設ける必要がないので、電気掃除機を安価に製作できる。
【００４０】
また、第二吸気口１３は、第一吸気口８が形成されている側に形成されている。また、第二吸気口１３は、第一吸気口８が形成されている側に向かって開口している。このため、掃除機本体１００の移動や吸込み具９５の床面での摺動（掃除動作）や使用者の歩行動作等によって舞い上がる塵埃（浮遊塵埃）を、空気中に拡散摺る前に、効果的に吸引することができる。
【００４１】
また、第二吸気口１３及び開口部２７の開度を調整できる構成を付加することによって、床面の掃除を行っているか否かに関わらず、使用者１０１は浮遊塵埃の吸引を行うか否かを選択することができる。また、浮遊塵埃の吸引を行う際、第二吸気口１３及び開口部２７からの空気の吸引量を任意に設定することができる。
【００４２】
なお、長期間集塵フィルタ２４のメンテナンスをせずに電気掃除機を使用していると、集塵フィルタ２４が目詰まりを起こす場合がある。集塵フィルタ２４が目詰まりを起こすと、集塵フィルタ２４での圧力損失が大きくなり、第一吸気口８及び第二吸気口１３からの吸引力が低下する。したがって、使用者は、定期的に集塵フィルタケース２３のメンテナンスを行うのが好ましい。そのため、集塵フィルタ２４（集塵部２１）は、集塵部収容空間２０に着脱可能に収容されている。
【００４３】
しかしながら、集塵フィルタ２４のメンテナンス回数は少ない方が、使用者１０１にとっては使い勝手が良い。このため、例えば、集塵フィルタ２４に付着した塵埃を除去する塵埃除去手段を集塵フィルタケース２３に設けてもよい。
図７は、本実施の形態に係る集塵フィルタケース２３の一例を示す斜視図である。この図は、集塵フィルタケース２３を後部側（電動送風機室３０側）から見た斜視図である。集塵フィルタケース２３の後面部又は集塵フィルタ２４の後面部には、所定の間隔を介して平行に配置されたリブ６１が設けられている。これらリブ６１の所定の位置には、複数の突起６２が形成されている。
【００４４】
リブ６１の後方には、外周部に歯が形成されたリング状のギヤ６３が設けられている。このギヤ６３の略中心部にはボス６４が設けられており、ボス６４とギヤ６３とは複数のアーム６５（本実施の形態では３本）で接続されている。このアーム６５の１つには除塵子６６が設けられている。また、ギヤ６３は、例えば集塵フィルタケース２３の後面部に形成された軸がボス６４に形成された貫通孔に挿入されることにより、回動自在となっている。
【００４５】
ギヤ６３の外周側には、このギヤ６３と係合する中間ギヤ６７が設けられいる。また、中間ギヤ６７の外周側には、この中間ギヤ６７と係合する出力ギヤ６８が設けられており、この出力ギヤ６８は除塵駆動用モータ６９の回転軸に接続されている。
【００４６】
除塵駆動用モータ６９を駆動させると、出力ギヤ６８及び中間ギヤ６７を介してギヤ６３が回動する。このギヤ６３の回動により、除塵子６６は突起６２に衝突する。除塵子６６の突起６２との衝突部材は、例えばバネ等の付勢手段によって付勢されており、所定の荷重以上の荷重がかかると突起６２との接触を回避できる構成となっている。これにより、除塵子６６は、ギヤ６３の回動に伴って突起６２との衝突及び回避を繰り返し、集塵フィルタ２４に振動又は衝撃を与える。この振動又は衝撃によって、集塵フィルタ２４に付着した塵埃を除去する。
【００４７】
このように、集塵フィルタ２４に付着した塵埃を除去する塵埃除去手段を集塵フィルタケース２３に設けることで、集塵フィルタ２４のメンテナンス回数が少なくなり、使い勝手の良い電気掃除機を得ることができる。また、衛生的に優れ、性能を長期間保つことが可能な集塵フィルタ２４を得ることができる。
【図面の簡単な説明】
【００４８】
【図１】本発明の実施の形態に係る電気掃除機の全体構成を示す斜視図である。
【図２】本発明の実施の形態に係る電気掃除機の掃除機本体を示す斜視図である。
【図３】図２のＡ−Ａ断面模式図である。
【図４】図３のＰ部詳細図であり、（ａ）が第二吸気口が開いた状態のＰ部詳細図、（ｂ）が第二吸気口が閉じた状態のＰ部詳細図である。
【図５】本発明の実施の形態に係る電気掃除機の風量特性を示す特性図である。
【図６】本発明の実施の形態に係る電気掃除機の使用状態を示す概略図である。
【図７】本発明の実施の形態に係る集塵フィルタケース２３の一例を示す斜視図である。
【符号の説明】
【００４９】
１  本体外郭部、２  上ケース、３  下ケース、４  上蓋、５  ヒンジ、６  ボタン、７  ハンドル部材、８  第一吸気口、９  ハンドル、１０  延設部、１１  排気口、１２  車輪、１３  第二吸気口、２０  集塵部収容空間、２１  集塵部、２２  集塵室、２３  集塵フィルタケース、２４  集塵フィルタ、２５  一次フィルタ、２７  開口部、２８  突条、２９  パッキン、３０  電動送風機室、３１  電動送風機、４０  開閉手段、４１  蓋部、４２  筒部、４３  ストッパ部、４４  パッキン、４５  開口部、４６  バネ、４７  支持部、５０  風路、６１  リブ、６２  突起、６３  ギヤ、６４  ボス、６５  アーム、６６  除塵子、６７  中間ギヤ、６８  出力ギヤ、６９  除塵駆動用モータ、９５  吸込み具、９６  パイプ、９７  手元ハンドル、９８  操作部、９９  ホース、１００  掃除機本体、１０１  使用者。
【図１】
2010022769.tif 000003
【図２】
2010022769.tif 000004
【図３】
2010022769.tif 000005
【図４】
2010022769.tif 000006
【図５】
2010022769.tif 000007
【図６】
2010022769.tif 000008
【図７】
2010022769.tif 000009